(57)【要約】【課題】本発明は、単一の筺体構成で、瞬間的なストロボ光に加えて被写体照明用の照明光をも併せて照射できる照明光を一層得ようとするもので、又、瞬間的なストロボ光に替えて被写体照明用の照明光の光量を増加して照射できるようなストロボ装置を提供する。【解決手段】本発明は、バッテリー、マイコン、昇圧回路、インターフェース回路等で電源部を構成し、コンデンサ、放電管等で発光部であるヘッド部を構成してなり、カメラのアクセサリーシューに脱着できるストロボ本体において、前記ヘッド部の外側周囲に表面に複数個のＬＥＤを設けたＬＥＤパネルを設けてなることを特徴としたストロボ装置。【選択図】図３
2010145886.tif 000002
【特許請求の範囲】
【請求項１】
バッテリー、マイコン、昇圧回路、インターフェース回路等で電源部を構成し、コンデンサ、放電管等で発光部であるヘッド部を構成してなり、カメラのアクセサリーシューに脱着できるストロボ本体において、前記ヘッド部の外側周囲に表面に複数個のＬＥＤを設けたＬＥＤパネルを設けてなることを特徴としたストロボ装置。
【発明の詳細な説明】
【技術分野】
【０００１】
本発明はストロボ装置に関し、例えば、被写体の動画撮影等を行うデジタルカメラ等に用いて好適なストロボ装置に関するものである。
【背景技術】
【０００２】
例えば、動画撮影機能を有するデジタルカメラと、外付けのストロボ装置とを組み合わせて被写体の撮影を行う場合、静止画撮影の場合にはシャッタ動作に連動させてストロボ装置を動作させ瞬間的にストロボ光を被写体に照射する通常の撮影を実行することで良好な画質の静止画像を得ることができる。
【０００３】
しかし、例えば夕暮れ時や暗い室内等の自然光が乏しい撮影条件下で被写体の撮影を行う場合、通常のストロボ装置を使用しただけでは所望の画像（動画像又は静止画像）を得ることが困難になる。
【０００４】
ところが、被写体に向けてストロボ光を照射するストロボ装置本体に、被写体に向けて照明光を照射するＬＥＤ（発光ダイオード）パネルを組み合わせたようなストロボ装置は見当たらないのが現状である。
【０００５】
特許文献１には、外付けストロボ装置の側面、下面にＬＥＤを用いた照明光発光部を設け、カメラ本体の撮影レンズ設定ダイヤルや撮影設定操作部を照明するように構成したカメラアクセサリが提案されている。
【０００６】
しかし、特許文献１の場合も、被写体に向けて照明光を照射するＬＥＤパネルをストロボ装置に組み合わせたものではない。特に本発明が提案するストロボ本体の外側周囲に複数個の開閉自在のＬＥＤパネルを配置し一層十分な照明を得ようとするものではない。
【特許文献１】特開２００７−１３３３１６号公報
【発明の開示】
【発明が解決しようとする課題】
【０００７】
本発明が解決しようとする問題点は、単一の筺体構成で、瞬間的なストロボ光に加えて被写体照明用の照明光をも増量して併せて照射できる照明光を一層得ようとするもので、又、瞬間的なストロボ光に替えて被写体照明用の照明光の光量を照射できるようなストロボ装置が存在しない点である。
【課題を解決するための手段】
【０００８】
本発明に係るストロボ装置は、バッテリー、マイコン、昇圧回路、インターフェース回路等で電源部を構成し、コンデンサ、放電管等で発光部であるヘッド部を構成してなり、カメラのアクセサリーシューに脱着できるストロボ本体において、前記ヘッド部の外側周囲に表面に複数個の開閉自在のＬＥＤを設けたＬＥＤパネルを設けることを最も主要な特徴とする。
【発明の効果】
【０００９】
請求項１記載の発明によれば、ストロボ光発光用のストロボ本体と、このストロボ本体に搭載した照明光を発光するＬＥＤパネルをストロボ本体の外側周囲に開閉自在に設けることによって、単一の筺体構成で、被写体に向けてストロボ光、光量増加した照明光の双方を照射でき、自然光が乏しい撮影条件下での被写体撮影に好適なストロボ装置を提供することができる。
【発明を実施するための最良の形態】
【００１０】
本発明は、単一の筺体構成で、瞬間的なストロボ光に加えて被写体照明用の照明光を光量を増加して照射でき、又は、瞬間的なストロボ光に替えて被写体照明用の照明光のみを光量を増加して照射できるストロボ装置を提供するという目的を有するものである。
【００１１】
本発明のストロボ装置は、カメラのアクセサリーシューに取り付けられるストロボ光発光用のストロボ本体と、このストロボ本体の外側上下部或いは外側側部に扉形態でストロボ本体に開閉収納できるＬＥＤパネルを設けて、これらを必要に応じて開いて用いることで照明光を増加して被写体に照射して上記目的を実現した。
【実施例】
【００１２】
以下に、本発明の実施例に係るストロボ装置について図１乃至図５を参照して説明するが図３は図１のＬＥＤパネルを開いた状態の構成図、図２はＬＥＤパネル箇所の拡大図、図４、図５はＬＥＤパネルである扉の各々図である。
【００１３】
本実施例１に係るストロボ装置は、例えばデジタルカメラ等のような図示しないアクセサリーシューに取り付けられるストロボ光発光用の公知構造のストロボ本体１と、このストロボ本体１の下部に挿入、引き出し可能に収納するとともに、引き出し状態から下方に回動させて発光面１１ａを被写体に対向させ、発光面１１ａに配置した多数のＬＥＤ１２から例えば白色の照明光を発光する平面四角形状のＬＥＤパネル１１とから構成される。
【００１４】
又、前記ＬＥＤパネル１１と同様の構成のＬＥＤパネル１３は扉構成でストロボ本体１の側部外側に配置される。このＬＥＤパネル１３は表面に発光面１３aを形成していて、これらは複数個のＬＥＤ１４から構成される。
【００１５】
前記ＬＥＤパネル１３は、側部の上下に突起１５，１６を植設していて、この突起１５、１６を穴２３に挿入し、前記ストロボ本体１の側部に凹陥した凹所１７にＬＥＤパネル１３が発光面１３aを内側にして配置される際に扉の支軸になるように構成してある。従って、ＬＥＤパネル１３は凹所１７に対して回動開閉ができる構造になる。２４は人指の爪を掛ける引掛け部で、凹所１７からＬＥＤパネル１３を引き起こす際に利用する。
【００１６】
前記ＬＥＤパネル１３はストロボ本体の上部にもＬＥＤパネル１８として配置され、これを収納する凹所１９に凹所１７と同様な構造で収められる。この場合ＬＥＤパネル１８の扉構造はＬＥＤパネル１３の支軸構造と同様に構成される。
同様なＬＥＤパネルは図示していないが、反対側の側部にも設けられ、同様な機能をなしている。
【００１７】
前記ストロボ本体１はバッテリー、マイコン、昇圧回路、インターフェース回路等で電源部である台部２０を構成し、コンデンサ、放電管等で発光部であるヘッド部２１を構成していて、従来のストロボと同様な構成をなしている。２２はホットシューでカメラのシューに取り付けるものである。
【００１８】
次に、図１、図２で示すＬＥＤパネル１３を凹所１７から開く場合は、爪部２４に人指の先を引っ掛け、引き開くとＬＥＤパネル１３は穴２３に突起１６を挿入しているから矢印Ａのように開き、凹所から抜けてストロボ本体１の側壁と直角状態に設定される。
【００１９】
この状態になると、ＬＥＤパネル１３のＬＥＤ１４は外側に現れ、しかも、ヘッド部２１に収納されている放電管の照射方向に向けられる状態になる。即ち放電管とＬＥＤパネル１３とが共用できる状態になるのである。勿論上部のＬＥＤパネル１８及び図示してないが反対側の側部に設けたＬＥＤパネルも同様な構造で同様な機能を働くことができるものである。
【００２０】
また、ＬＥＤパネルを全て使用すると４面のＬＥＤパネルの使用になるが、適宜使用するＬＥＤパネルを選択すればよい。前記ＬＥＤパネル１３、１１、１８及び前記ＬＥＤパネル１３の反対側にあるＬＥＤパネルの各々のうち、ＬＥＤパネル１１のみはヘッド部２１から前方に引き出して左右の取り付けねじ２５を支点に下に自重で下げられて設置される。そして通常は図１のようにヘッド部２１に格納されている。
【００２１】
次にＬＥＤパネルを全て引き出し利用する場合の一連の機能を述べると、図１の状態からＬＥＤパネル１１をヘッド部２１から手前に引きだし、取り付けねじ２５を支点にして、ＬＥＤパネル１１を矢印Ｂのように回動させて表に取り出す。するとＬＥＤパネル１１は自重で下に下がり設置される。
【００２２】
前記ＬＥＤパネル１３を展開する場合は、爪引っ掛部２４に人指を引っ掛け、外側に矢印Ａのように凹所１７から開かれる、ＬＥＤパネル１３は突起１５、１６と穴２３との嵌合箇所を支軸としているのでスムーズに開かれる。これによってＬＥＤ発光面１３aは前方に向かうように設置される。尚上部のＬＥＤパネル１８及び反対側側部のＬＥＤパネルも同様に展開できるものである。
【００２３】
上記一連の動作を逆にすることで、全てのＬＥＤパネルはヘッド部２１に収納されてストロボだけの機能を使用できるものである。また両用も実現できるものである。
【産業上の利用可能性】
【００２４】
本発明にかかるストロボ装置は、大型サイズ、小型サイズを問わず種々のデジタルカメラ用として適用でき、またスチールカメラやビデオカメラ用としても応用可能である。特に多くの光量を必要とする被写体の場合に有効である。
【図面の簡単な説明】
【００２５】
【図１】本発明の実施例に係るストロボ装置の通常状態の構成図である。
【図２】本実施例に係るストロボ装置のＬＥＤパネルの拡大図である。
【図３】本実施例に係るストロボ装置のＬＥＤパネル収納引き出した状態の図である。
【図４】本実施例に係るストロボ装置におけるＬＥＤパネルの内側拡大図である。
【図５】本発明の実施例に係るストロボ装置のＬＥＤパネルの外側拡大図である。
【符号の説明】
【００２６】
１  ストロボ本体
１１、１３、１８  ＬＥＤパネル
１１a、１３a  発光面
１２、１４  ＬＥＤ
１５、１６  突起
１７、１９  凹所
２０  台部
２１  ヘッド部
２２  ホットシュー
２３  穴
２４  爪引っ掛部
２５  取り付けネジ
【図１】
2010145886.tif 000003
【図２】
2010145886.tif 000004
【図３】
2010145886.tif 000005
【図４】
2010145886.tif 000006
【図５】
2010145886.tif 000007